(57)【要約】  移動局装置と基地局装置とを備える移動通信システムであって、基地局装置は、所定の通信範囲内に同一の同期チャネルの無線信号を送信する少なくとも２つの基地局装置が存在する場合において、同一の同期チャネルの無線信号を送信する基地局装置のセル識別情報を移動局装置に送信するセル識別情報送信部を備え、移動局装置は、基地局装置のセル識別情報に基づく測定処理を行い、測定処理によって得られた測定結果を基地局装置に送信する測定結果送信部を備える。
2009098960.tif 000002
【特許請求の範囲】
【請求項１】
移動局装置と基地局装置とを備える移動通信システムであって、
前記基地局装置は、所定の通信範囲内に同一の同期チャネルの無線信号を送信する少なくとも２つの基地局装置が存在する場合において、前記同一の同期チャネルの無線信号を送信する基地局装置のセル識別情報を前記移動局装置に送信するセル識別情報送信部を備え、
前記移動局装置は、前記基地局装置のセル識別情報に基づく測定処理を行い、前記測定処理によって得られた測定結果を前記基地局装置に送信する測定結果送信部を備えることを特徴とする移動通信システム。
【請求項２】
前記基地局装置のセル識別情報は、プライマリ同期チャネルとセカンダリ同期チャネルの組み合わせによって特定されるセル識別情報であることを特徴とする請求項１に記載の移動通信システム。
【請求項３】
前記基地局装置のセル識別情報は、プライマリ同期チャネルとセカンダリ同期チャネルの組み合わせによって特定されるセル識別情報と、セル毎に一意に割り当てられるグローバルセル識別情報であることを特徴とする請求項１に記載の移動通信システム。
【請求項４】
前記基地局装置のセル識別情報は、ハンドオーバー指示メッセージを用いて前記移動局装置に送信されることを特徴とする請求項１に記載の移動通信システム。
【請求項５】
前記移動局装置の測定処理は、前記基地局装置のセル識別情報で指定されたセル以外の測定結果を含めることを特徴とする請求項１の移動通信システム。
【請求項６】
前記移動局装置の測定処理は、前記基地局装置のセル識別情報で指定されたグローバルセル識別情報を持つ基地局装置の報知情報を取得し、同一の同期チャネルの無線信号を送信する少なくとも２つの基地局装置を各々識別することを特徴とする請求項１の移動通信システム。
【請求項７】
移動局装置と基地局装置とを備える移動通信システムであって、
前記基地局装置は、所定の通信範囲内に同一の同期チャネルの無線信号を送信する少なくとも２つの基地局装置が存在する場合において、前記同一の同期チャネルの無線信号を送信する基地局装置のセル識別情報をハンドオーバー指示メッセージに含めて前記移動局装置に送信するセル識別情報送信部を備え、
前記移動局装置は、前記ハンドオーバー指示メッセージのセル識別情報で指定されたグローバルセル識別情報を持つ基地局装置の報知情報を取得し、同一の同期チャネルの無線信号を送信する少なくとも２つの基地局装置のグローバルセル識別情報を同定した後にハンドオーバー手順を開始するハンドオーバー処理部を備えることを特徴とする移動通信システム。
【請求項８】
移動局装置と通信する基地局装置であって、
所定の通信範囲内に同一の同期チャネルの無線信号を送信する少なくとも２つの基地局装置が存在する場合において、前記同一の同期チャネルの無線信号を送信する基地局装置のセル識別情報を前記移動局装置に送信するセル識別情報送信部を備えることを特徴とする基地局装置。
【請求項９】
基地局装置と通信する移動局装置であって、
前記基地局装置のセル識別情報に基づく測定処理を行い、前記測定処理によって得られた測定結果を前記基地局装置に送信する測定結果送信部を備えることを特徴とする移動局装置。
【請求項１０】
移動局装置と通信する基地局装置であって、
所定の通信範囲内に同一の同期チャネルの無線信号を送信する少なくとも２つの基地局装置が存在する場合において、前記同一の同期チャネルの無線信号を送信する基地局装置のセル識別情報をハンドオーバー指示メッセージに含めて前記移動局装置に送信するセル識別情報送信部を備えることを特徴とする基地局装置。
【請求項１１】
基地局装置と通信する移動局装置であって、
ハンドオーバー指示メッセージのセル識別情報で指定されたグローバルセル識別情報を持つ基地局装置の報知情報を前記基地局装置から取得し、同一の同期チャネルの無線信号を送信する少なくとも２つの基地局装置のグローバルセル識別情報を同定した後にハンドオーバー手順を開始するハンドオーバー処理部を備えることを特徴とする移動局装置。
【請求項１２】
移動局装置と基地局装置とを用いた移動通信方法であって、
前記基地局装置は、所定の通信範囲内に同一の同期チャネルの無線信号を送信する少なくとも２つの基地局装置が存在する場合において、前記同一の同期チャネルの無線信号を送信する基地局装置のセル識別情報を前記移動局装置に送信するセル識別情報送信過程を有し、
前記移動局装置は、前記基地局装置のセル識別情報に基づく測定処理を行い、前記測定処理によって得られた測定結果を前記基地局装置に送信する測定結果送信過程を有することを特徴とする移動通信方法。
【請求項１３】
移動局装置と基地局装置とを用いた移動通信方法であって、
前記基地局装置は、所定の通信範囲内に同一の同期チャネルの無線信号を送信する少なくとも２つの基地局装置が存在する場合において、前記同一の同期チャネルの無線信号を送信する基地局装置のセル識別情報をハンドオーバー指示メッセージに含めて前記移動局装置に送信するセル識別情報送信過程を有し、
前記移動局装置は、前記ハンドオーバー指示メッセージのセル識別情報で指定されたグローバルセル識別情報を持つ基地局装置の報知情報を取得し、同一の同期チャネルの無線信号を送信する少なくとも２つの基地局装置のグローバルセル識別情報を同定した後にハンドオーバー手順を開始するハンドオーバー処理過程を有することを特徴とする移動通信方法。
【発明の詳細な説明】
【技術分野】
【０００１】
本発明は、移動通信システム、基地局装置、移動局装置及び移動通信方法に関する。
本願は、２００８年２月４日に、日本に出願された特願２００８−０２４４００号に基づき優先権を主張し、その内容をここに援用する。
【背景技術】
【０００２】
現在、第３世代の周波数帯に第４世代向けに検討されていた技術の一部を導入することによって、通信速度の高速化を目的としたＥｖｏｌｖｅｄ  Ｕｎｉｖｅｒｓａｌ  Ｔｅｒｒｅｓｔｒｉａｌ  Ｒａｄｉｏ  Ａｃｃｅｓｓ（以降ＥＵＴＲＡと称する）が標準化団体３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）にて検討されている（非特許文献１）。【０００３】
ＥＵＴＲＡでは、通信方式として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ：直交周波数分割多重接続）方式を採用する。ＯＦＤＭＡは、マルチパス干渉に強く、高速伝送に適した通信方式である。また、ＥＵＴＲＡにおける上位レイヤの動作に関する詳細仕様は、低遅延、低オーバーヘッド化を実現し、更に可能な限り簡易な技術が採用される。上位レイヤの動作としては、データ転送制御やリソース管理制御などがある。【０００４】
セルラ移動通信方式では、移動局装置がセルまたはセクタ内において、事前に基地局装置と無線同期している必要がある。そのため、基地局装置では規定の構成から成る同期チャネル（ＳＣＨ：Ｓｙｎｃｈｒｏｎｉｚａｔｉｏｎ  Ｃｈａｎｎｅｌ）を移動局装置に送信する。そして、移動局装置は、同期チャネル（ＳＣＨ）を検出することで基地局装置と同期を取る。セルまたはセクタは、基地局装置の通信エリアのことである。【０００５】
ＥＵＴＲＡでは、同期チャネル（ＳＣＨ）としてＰ−ＳＣＨ（Ｐｒｉｍａｒｙ  ＳＣＨ：プライマリ同期チャネル）とＳ−ＳＣＨ（Ｓｅｃｏｎｄａｒｙ  ＳＣＨ：セカンダリ同期チャネル）が用意されている。各セル（またはセクタ）は、プライマリ同期チャネル（Ｐ−ＳＣＨ）とセカンダリ同期チャネル（Ｓ−ＳＣＨ）の信号より決定されるセルＩＤによって移動局装置から識別される。
セルＩＤは、３種類のプライマリ同期チャネル（Ｐ−ＳＣＨ）と、１６８種類のセカンダリ同期チャネル（Ｓ−ＳＣＨ）の組み合わせによって決まり、その数は５０４種類である（３×１６８＝５０４）。【０００６】
図１６は、従来から知られているセルサーチ方法の処理を示すフローチャートである。
移動局装置は、プライマリ同期チャネル（Ｐ−ＳＣＨ）のレプリカ信号と受信信号とで相関を取ることによってＰ−ＳＣＨ同定処理を行う。これにより、移動局装置は、スロットタイミングを取得する（ステップＳ１）。
次に、移動局装置は、セカンダリ同期チャネル（Ｓ−ＳＣＨ）のレプリカ信号と受信信号とで相関を取ることによってＳ−ＳＣＨ同定処理を行う。これにより、移動局装置は、得られたセカンダリ同期チャネル（Ｓ−ＳＣＨ）の送信パターンによってフレームタイミングを取得する。また、移動局装置は、基地局装置を識別するためのセルＩＤ（Ｉｄｅｎｔｉｆｉｃａｔｉｏｎ：識別情報）を取得する（ステップＳ２）。【０００７】
このような一連の制御、すなわち、移動局装置が基地局装置と無線同期を取り、更にその基地局装置のセルＩＤを特定するまでのステップ制御をセルサーチ手順とよぶ。
ＥＵＴＲＡを含むセルラ移動通信方式では、移動局装置は、基地局装置の通信エリアであるセル（またはセクタ）内において基地局装置と通信する。移動局装置が、ある基地局装置と無線接続されているとき、その移動局装置が位置するセルのことを在圏セルとよぶ。一方、在圏セルの周辺に位置するセルのことを周辺セルとよぶ。【０００８】
移動局装置は、在圏セルと周辺セルの受信品質を測定し比較することで、良好な品質のセルを判定することが可能である。移動局装置が在圏セルから周辺セルへと移動し、無線接続するセルを変更することをハンドオーバーとよぶ。
このとき、セル間の受信品質の高低を移動局装置が判定するために使用される信号を下りリファレンス信号とよぶ。下りリファレンス信号は、セルＩＤに対応した所定の信号系列である。すなわち、セルＩＤを同定することによって、同時に該当セルで送信される下りリファレンス信号を一意に特定することが可能である（非特許文献１）。【０００９】
図１７は、ＥＵＴＲＡにおける無線フレームの構成の一例を示す図である。図１７では、横軸に時間軸をとっており、縦軸に周波数軸をとっている。無線フレームは、一定の周波数領域（ＢＲ）と、一定の送信時間間隔（スロット）で構成される領域（図１７のドット状のハッチングを付した領域）を一単位として構成されている（非特許文献１）。周波数領域（ＢＲ）は、周波数軸方向に並んだ複数のサブキャリアが集合したものである。【００１０】
また、１スロットの整数倍から構成される送信時間間隔をサブフレームとよぶ。更に、複数のサブフレームをまとめたものをフレームとよぶ。図１７では、１サブフレームが２スロットから構成される場合を示している。
この一定の周波数領域（ＢＲ）と１スロット長で区切られた領域（図１７のドット状のハッチングを付した領域）を、リソースブロックとよぶ。また、１フレームは１０サブフレームから構成される。図１７中のＢＷはシステム帯域幅を示しており、ＢＲはリソースブロックの帯域幅を示している。【００１１】
図１８は、ＥＵＴＲＡで使用されるハンドオーバー手順を示すシーケンス図である。図１８は、移動局装置がハンドオーバー元のセル（以降、ソースセルと称する）と通信を行っている状態から開始し、ハンドオーバー先のセル（以降、隣接セルと称する）へハンドオーバーする制御を示している。
なお、ソースセルのセルＩＤがＣＩＤ＿Ａであり、周辺セルのセルＩＤがＣＩＤ＿Ｂであるとして、以降の手順を説明する。ここで、移動局装置はＣＩＤ＿ＡとＣＩＤ＿Ｂの下りリファレンス信号を、セルＩＤがＣＩＤ＿Ａの基地局装置と、セルＩＤがＣＩＤ＿Ｂの基地局装置から、それぞれ受信する（ステップＳ００１、Ｓ００２）。そして、移動局装置は、各々の下りリファレンス信号から得られる受信品質を測定する。【００１２】
そして、移動局装置は、測定報告処理を行う（ステップＳ００３）。つまり、移動局装置での測定結果は、測定報告メッセージとして、セルＩＤがＣＩＤ＿Ａの基地局装置へ通知される（ステップＳ００４）。セルＩＤがＣＩＤ＿Ａの基地局装置は、前記測定報告メッセージの内容から、セルＩＤがＣＩＤ＿Ｂの基地局装置へのハンドオーバーが必要であるか否かについて判定する。ハンドオーバーが必要であると判定したとき、セルＩＤがＣＩＤ＿Ａの基地局装置から、セルＩＤがＣＩＤ＿Ｂの基地局装置へハンドオーバー要求メッセージを用いて、移動局装置に対するハンドオーバーの必要性を、セルＩＤがＣＩＤ＿Ｂの基地局装置に通知し（ステップＳ００５）ハンドオーバーのための準備を要求する。
前記ハンドオーバー要求メッセージを受信した、セルＩＤがＣＩＤ＿Ｂの基地局装置は、ハンドオーバーが実行可能と判定した場合、ハンドオーバー要求許可メッセージを、セルＩＤがＣＩＤ＿Ａの基地局装置に通知する（ステップＳ００６）。
ハンドオーバー要求許可メッセージを受信した、セルＩＤがＣＩＤ＿Ａの基地局装置は、移動局装置に対し、ハンドオーバー指示メッセージ（ハンドオーバーコマンドとも称する）を通知する（ステップＳ００７）。【００１３】
移動局装置が前記メッセージを受信することでハンドオーバー処理が開始される（ステップＳ００８）。ハンドオーバー指示メッセージにハンドオーバー実行時間が含まれている場合、移動局装置は、ハンドオーバー実行時間に至った時点でハンドオーバーを実行する。
ハンドオーバー実行時間として、即時実行が指定される場合もある。移動局装置は、ハンドオーバー実行時間にハンドオーバー指示メッセージで指定された無線周波数や送受信回路の制御パラメータの切り替えを行う。その後、移動局装置は、セルＩＤがＣＩＤ＿Ｂの基地局装置との下り無線同期を確立するための下り同期確立処理を行う（ハンドオーバー処理）。【００１４】
下り同期確立処理のための制御パラメータは、先のハンドオーバー指示メッセージに含まれるか、セルＩＤがＣＩＤ＿Ａの基地局装置から事前に、移動局装置に報知または通知される。下り同期確立が完了した移動局装置は、セルＩＤがＣＩＤ＿Ｂの基地局装置との上り同期確立のために、ランダムアクセス送信を行う（ステップＳ００９）。この処理は、ハンドオーバーアクセスとよばれる場合もある。
本来、ランダムアクセスを行う際には、衝突が発生しうる（コンテンションベース）のチャネルが用いられる。しかし、衝突が発生しない（コンテンションフリー）ランダムアクセス送信のため、前記ハンドオーバー指示メッセージにてプリアンブル系列（Ｄｅｄｉｃａｔｅｄ  Ｐｒｅａｍｂｌｅ）を事前に移動局装置毎に割り当てる方法も提案されている（非特許文献２）。【００１５】
当該移動局装置は、ハンドオーバー指示メッセージで指定されたプリアンブル系列を用いてランダムアクセス送信を行う。プリアンブル系列を受信した、セルＩＤがＣＩＤ＿Ｂの基地局装置は、当該移動局装置のハンドオーバーが完了したと判定する。そして、セルＩＤがＣＩＤ＿Ｂの基地局装置は、上り送信タイミング調整のための上り同期情報とハンドオーバー完了メッセージ（ハンドオーバーコンファームと呼ばれる場合もある）送信のための上りリソース割当情報とを、移動局装置に通知する（ステップＳ０１０）。【００１６】
移動局装置は、前記情報を元に上り送信タイミングを調整し、指定された上りリソースを用いてハンドオーバー完了メッセージを、セルＩＤがＣＩＤ＿Ｂの基地局装置へ送信し、ハンドオーバーを完了する（ステップＳ０１１）。
なお、非特許文献１において、下りリファレンス信号のことを下りリファレンスシグナル（Ｒｅｆｅｒｅｎｃｅ  ｓｉｇｎａｌ）やＤＬ−ＲＳ（Ｄｏｗｎｌｉｎｋ  Ｒｅｆｅｒｅｎｃｅ  ｓｉｇｎａｌ）と記載してあるが、意味は同じである。【００１７】
しかしながら、従来のセルサーチ手順、及びハンドオーバー手順では、同一のセルＩＤが基地局装置に割り当てられている場合、すなわち、プライマリ同期チャネル（Ｐ−ＳＣＨ）とセカンダリ同期チャネル（Ｓ−ＳＣＨ）の両方が同じである複数の基地局装置が存在するエリアにおける移動局装置の動作が保証できない。これについて図１９を用いて説明する。【００１８】
図１９は、同一のセルＩＤが移動局装置によって測定される場合における、ハンドオーバー手順を示すシーケンス図である。図１９は、図１８の隣接セルと同じセルＩＤ（ＣＩＤ＿Ｂ）を持つ衝突セルが同じエリアに存在している場合を示す。
ここで、移動局装置はソースセル（ＣＩＤ＿Ａ）と隣接セル（ＣＩＤ＿Ｂ）と衝突セル（ＣＩＤ＿Ｂ）の下りリファレンス信号をそれぞれ受信する（ステップＳ０２０、Ｓ０２１、Ｓ０２２）。そして、移動局装置は、各々の下りリファレンス信号から得られる受信品質を測定する。【００１９】
ただし、従来のセルサーチ手順では、移動局装置はＣＩＤ＿ＡとＣＩＤ＿Ｂの２種類のセルＩＤしか検出できないため、同じセルＩＤ（ＣＩＤ＿Ｂ）を持つセルが２つ存在していることが分からない。
そのため、隣接セル（ＣＩＤ＿Ｂ）と衝突セル（ＣＩＤ＿Ｂ）の下りリファレンス信号を区別せずに測定し、測定報告処理（ステップＳ０２３）にてＣＩＤ＿Ａへ測定報告メッセージを通知している（ステップＳ０２４）。
すなわち、隣接セル（ＣＩＤ＿Ｂ）と衝突セル（ＣＩＤ＿Ｂ）が同期している場合は、移動局装置では合成された下りリファレンス信号が測定される。また、隣接セル（ＣＩＤ＿Ｂ）と衝突セル（ＣＩＤ＿Ｂ）が非同期である場合は、一方の下りリファレンス信号は、移動局装置では遅延波と判定される。【００２０】
図１９のようなセルＩＤが衝突している状況下においては、複数の問題が生じることが知られている。例えば、ソースセル（ＣＩＤ＿Ａ）は、移動局装置からの測定報告メッセージに含まれるＣＩＤ＿Ｂのセルの受信品質が隣接セル（ＣＩＤ＿Ｂ）のものなのか、衝突セル（ＣＩＤ＿Ｂ）のものなのか分からない。
また、ＣＩＤ＿Ｂのセルの受信品質が、隣接セル（ＣＩＤ＿Ｂ）と衝突セル（ＣＩＤ＿Ｂ）の受信品質を合成したものとして報告されている場合、ハンドオーバー基準として用いるのは不適切である。更に、ソースセル（ＣＩＤ＿Ａ）が移動局装置に隣接セル（ＣＩＤ＿Ｂ）へハンドオーバー指示メッセージを送信する場合においても、ハンドオーバー先のセルが隣接セル（ＣＩＤ＿Ｂ）であるという明確な指定ができない。よって、移動局装置が衝突セル（ＣＩＤ＿Ｂ）へハンドオーバーする可能性がある。【００２１】
非特許文献３には、これら同一のセルＩＤによる問題を解決するために、少なくとも５０４種類が用意されるセルＩＤよりも十分な数が用意されたユニークなＩＤ（Ｇｌｏｂａｌ  Ｃｅｌｌ  Ｉｄｅｎｔｉｔｙ、以降ＧＣＩＤとも称する）を、セルＩＤと共に全てのセルに対して割り振る方法が記載されている。
ＧＣＩＤを用いることにより、セルＩＤだけでは識別不可能であった衝突セルがＧＣＩＤによって識別可能となる。また、ハンドオーバー指示メッセージにおいて、ＧＣＩＤによるハンドオーバー先のセルの指定を行うことで、移動局装置のハンドオーバー先のセルを、明確に指定することが可能となる。【００２２】
非特許文献３に示すＧＣＩＤを用いる方法は、測定エリア内の少なくとも２つのセルに対し、同じセルＩＤ（衝突セル）が割り振られていたとしても、同期チャネル（ＳＣＨ）および下りリファレンス信号を基に衝突セルを移動局装置が自律的に識別する必要がある。
しかしながら、移動局装置が同じセルＩＤが割り振られていることを自律的に検出し、各々の無線信号を分離して受信することは非常に困難である。
このため、衝突セルが存在する場合に、移動局装置と基地局装置との間で通信する際の処理が複雑になるという問題があった。
【非特許文献１】３ＧＰＰ  ＴＳ（Ｔｅｃｈｎｉｃａｌ  Ｓｐｅｃｉｆｉｃａｔｉｏｎ）３６．２１１，Ｐｈｙｓｉｃａｌ  Ｃｈａｎｎｅｌｓ  ａｎｄ  Ｍｏｄｕｌａｌｔｉｏｎ．Ｖ８．０．０（ｈｔｔｐ：／／ｗｗｗ．３ｇｐｐ．ｏｒｇ／ｆｔｐ／Ｓｐｅｃｓ／ｈｔｍｌ−ｉｎｆｏ／３６２１１．ｈｔｍ）
【非特許文献２】３ＧＰＰ  ＴＳ３６．３００，Ｏｖｅｒａｌｌ  ｄｉｓｃｒｉｐｔｉｏｎ；Ｓｔａｇｅ２．Ｖ８．３．０（ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ）
【非特許文献３】Ｈｕａｗｅｉ，“Ｄｅｔｅｃｔｉｏｎ  ｏｆ  ｃｏｎｆｌｉｃｔｉｎｇ  ｃｅｌｌ  ｉｄｅｎｔｉｔｉｅｓ”，Ｒ３−０７１９４７，３ＧＰＰ  ＴＳＧ−ＲＡＮ  ＷＧ３  Ｍｅｅｔｉｎｇ  ＃５７ｂｉｓ，Ｓｏｐｈｉａ  Ａｎｔｉｐｏｌｉｓ，Ｆｒａｎｃｅ，８−１１  Ｏｃｔｏｂｅｒ  ２００７
【発明の開示】
【発明が解決しようとする課題】
【００２３】
本発明は、上記事情に鑑みてなされたものであり、その目的は、衝突セルが存在する場合であっても、移動局装置と基地局装置との間で通信する際の処理を簡略化することができる移動通信システム、基地局装置、移動局装置及び移動通信方法を提供することにある。
【課題を解決するための手段】
【００２４】
（１）  本発明は、上記課題を解決するためになされたもので、本発明の一態様による移動通信システムは、移動局装置と基地局装置とを備える移動通信システムであって、前記基地局装置は、所定の通信範囲内に同一の同期チャネルの無線信号を送信する少なくとも２つの基地局装置が存在する場合において、前記同一の同期チャネルの無線信号を送信する基地局装置のセル識別情報を前記移動局装置に送信するセル識別情報送信部を備え、前記移動局装置は、前記基地局装置のセル識別情報に基づく測定処理を行い、前記測定処理によって得られた測定結果を前記基地局装置に送信する測定結果送信部を備える。【００２５】
（２）  また、本発明の一態様による移動通信システムにおいて、前記基地局装置のセル識別情報は、プライマリ同期チャネルとセカンダリ同期チャネルの組み合わせによって特定されるセル識別情報である。【００２６】
（３）  また、本発明の一態様による移動通信システムにおいて、前記基地局装置のセル識別情報は、プライマリ同期チャネルとセカンダリ同期チャネルの組み合わせによって特定されるセル識別情報と、セル毎に一意に割り当てられるグローバルセル識別情報である。【００２７】
（４）  また、本発明の一態様による移動通信システムにおいて、前記基地局装置のセル識別情報は、ハンドオーバー指示メッセージを用いて前記移動局装置に送信される。【００２８】
（５）  また、本発明の一態様による移動通信システムにおいて、前記移動局装置の測定処理は、前記基地局装置のセル識別情報で指定されたセル以外の測定結果を含める。【００２９】
（６）  また、本発明の一態様による移動通信システムにおいて、前記移動局装置の測定処理は、前記基地局装置のセル識別情報で指定されたグローバルセル識別情報を持つ基地局装置の報知情報を取得し、同一の同期チャネルの無線信号を送信する少なくとも２つの基地局装置を各々識別する。【００３０】
（７）  また、本発明の一態様による移動通信システムは、移動局装置と基地局装置とを備える移動通信システムであって、前記基地局装置は、所定の通信範囲内に同一の同期チャネルの無線信号を送信する少なくとも２つの基地局装置が存在する場合において、前記同一の同期チャネルの無線信号を送信する基地局装置のセル識別情報をハンドオーバー指示メッセージに含めて前記移動局装置に送信するセル識別情報送信部を備え、前記移動局装置は、前記ハンドオーバー指示メッセージのセル識別情報で指定されたグローバルセル識別情報を持つ基地局装置の報知情報を取得し、同一の同期チャネルの無線信号を送信する少なくとも２つの基地局装置のグローバルセル識別情報を同定した後にハンドオーバー手順を開始するハンドオーバー処理部を備える。【００３１】
（８）  また、本発明の一態様による基地局装置は、移動局装置と通信する基地局装置であって、所定の通信範囲内に同一の同期チャネルの無線信号を送信する少なくとも２つの基地局装置が存在する場合において、前記同一の同期チャネルの無線信号を送信する基地局装置のセル識別情報を前記移動局装置に送信するセル識別情報送信部を備える。【００３２】
（９）  また、本発明の一態様による移動局装置は、基地局装置と通信する移動局装置であって、前記基地局装置のセル識別情報に基づく測定処理を行い、前記測定処理によって得られた測定結果を前記基地局装置に送信する測定結果送信部を備える。【００３３】
（１０）  また、本発明の一態様による基地局装置は、移動局装置と通信する基地局装置であって、所定の通信範囲内に同一の同期チャネルの無線信号を送信する少なくとも２つの基地局装置が存在する場合において、前記同一の同期チャネルの無線信号を送信する基地局装置のセル識別情報をハンドオーバー指示メッセージに含めて前記移動局装置に送信するセル識別情報送信部を備える。【００３４】
（１１）  また、本発明の一態様による移動局装置は、基地局装置と通信する移動局装置であって、ハンドオーバー指示メッセージのセル識別情報で指定されたグローバルセル識別情報を持つ基地局装置の報知情報を前記基地局装置から取得し、同一の同期チャネルの無線信号を送信する少なくとも２つの基地局装置のグローバルセル識別情報を同定した後にハンドオーバー手順を開始するハンドオーバー処理部を備える。【００３５】
（１２）  また、本発明の一態様による移動通信方法は、移動局装置と基地局装置とを用いた移動通信方法であって、前記基地局装置は、所定の通信範囲内に同一の同期チャネルの無線信号を送信する少なくとも２つの基地局装置が存在する場合において、前記同一の同期チャネルの無線信号を送信する基地局装置のセル識別情報を前記移動局装置に送信するセル識別情報送信過程を有し、前記移動局装置は、前記基地局装置のセル識別情報に基づく測定処理を行い、前記測定処理によって得られた測定結果を前記基地局装置に送信する測定結果送信過程を有する。【００３６】
（１３）  また、本発明の一態様による移動通信方法は、移動局装置と基地局装置とを用いた移動通信方法であって、前記基地局装置は、所定の通信範囲内に同一の同期チャネルの無線信号を送信する少なくとも２つの基地局装置が存在する場合において、前記同一の同期チャネルの無線信号を送信する基地局装置のセル識別情報をハンドオーバー指示メッセージに含めて前記移動局装置に送信するセル識別情報送信過程を有し、前記移動局装置は、前記ハンドオーバー指示メッセージのセル識別情報で指定されたグローバルセル識別情報を持つ基地局装置の報知情報を取得し、同一の同期チャネルの無線信号を送信する少なくとも２つの基地局装置のグローバルセル識別情報を同定した後にハンドオーバー手順を開始するハンドオーバー処理過程を有する。
【発明の効果】
【００３７】
本発明では、基地局装置から衝突セルの存在を移動局装置に通知することで、移動局装置が衝突セルの存在に基づいて基地局装置と通信することが可能となる。よって、衝突セルの基地局装置との間で不要な無線信号のやり取りを行わないことにより、移動局装置と基地局装置との間で通信する際の処理を簡略化することができる。
【図面の簡単な説明】
【００３８】
【図１】本発明の第１の実施形態による移動局装置１００の構成の一例を示す概略ブロック図である。
【図２】本発明の第１の実施形態による基地局装置２００の構成の一例を示す概略ブロック図である。
【図３】本発明の第１の実施形態による移動局装置１００の測定報告処理を示すシーケンス図である。
【図４】本発明の第１の実施形態による移動局装置１００（図１）の下りリファレンス信号処理部１０７ａの構成を示す概略ブロック図である。
【図５】本発明の第１の実施形態による移動局装置１００（図１）の下りリファレンス信号処理部１０７ａによる衝突セルＩＤ例外処理（図３のステップＳ１０５）を示すフローチャートである。
【図６】本発明の第２の実施形態によるハンドオーバー手順を示すシーケンス図である。
【図７】本発明の第２の実施形態による移動局装置１００の下りリファレンス信号処理部１０７ｂの構成を示す概略ブロック図である。
【図８】本発明の第２の実施形態による移動局装置１００によるＧＣＩＤ取得処理を示すフローチャートである。
【図９】本発明の第２の実施形態による移動局装置１００の下りリファレンス信号処理部１０７ｂの衝突時測定報告処理（図６のステップＳ２０５）を示すフローチャートである。
【図１０Ａ】測定報告メッセージの一例を示す図である。
【図１０Ｂ】測定報告メッセージの他の一例を示す図である。
【図１１Ａ】ハンドオーバー指示メッセージの一例を示す図である。
【図１１Ｂ】ハンドオーバー指示メッセージの他の一例を示す図である。
【図１２】本発明の第３の実施形態によるハンドオーバー手順を示すシーケンス図である。
【図１３】本発明の第３の実施形態による移動局装置１００のＧＣＩＤ取得処理（図１２のステップＳ３０９）を示すフローチャートである。
【図１４】本発明の第４の実施形態によるハンドオーバー手順を示すシーケンス図である。
【図１５】本発明の第４の実施形態による移動局装置の下りリファレンス信号処理部のＧＣＩＤ例外処理を示すフローチャートである。
【図１６】従来から知られているセルサーチ方法の処理を示すフローチャートである。
【図１７】ＥＵＴＲＡにおける無線フレームの構成の一例を示す図である。
【図１８】ＥＵＴＲＡで使用されるハンドオーバー手順を示すシーケンス図である。
【図１９】同一のセルＩＤが移動局装置によって測定される場合における、ハンドオーバー手順を示すシーケンス図である。
【符号の説明】
【００３９】
１００・・・移動局装置、１０１・・・受信部、１０２・・・復調部、１０３・・・制御部、１０４・・・制御信号処理部、１０５・・・データ処理部、１０６・・・報知情報処理部、１０７ａ、１０７ｂ・・・下りリファレンス信号処理部、１０８・・・符号部、１０９・・・変調部、１１０・・・送信部、１１１・・・上位レイヤ、２００・・・基地局装置、２０１・・・受信部、２０２・・・復調部、２０３・・・制御部、２０４・・・データ処理部、２０５・・・制御信号処理部、２０６・・・符号部、２０７・・・変調部、２０８・・・周辺基地局装置情報管理部、２０９・・・送信部、２１０・・・上位レイヤ、１０７１ａ、１０７１ｂ・・・下りリファレンス信号抽出部、１０７２ａ、１０７２ｂ・・・系列選択部、１０７３ａ、１０７３ｂ・・・セルＩＤ管理部、１０７４ａ、１０７４ｂ・・・相関処理部、１０７５ａ、１０７５ｂ・・・品質管理部、Ａ１、Ａ２・・・アンテナ
【発明を実施するための最良の形態】
【００４０】
以下、図面を参照し、本発明の各実施形態について説明する。
本発明の各実施形態に関わる物理チャネルは、報知情報チャネル、上りデータチャネル、下りデータチャネル、下り共用制御チャネル、上り共用制御チャネル、ランダムアクセスチャネル、同期チャネル（ＳＣＨ）、リファレンス信号がある。【００４１】
本発明の各実施形態においては、上りデータチャネル、下りデータチャネルをデータチャネルとして分類する。また、報知情報チャネル、下り共用制御チャネル、上り共用制御チャネル、ランダムアクセスチャネルを制御チャネルとして分類する。
また、同期チャネル（ＳＣＨ）とリファレンス信号を無線信号として分類する。物理チャネルは今後追加される可能性もあるが、本発明の実施形態の説明には影響しない。また、リファレンス信号としては下りリファレンス信号と上りリファレンス信号がある。【００４２】
本発明の各実施形態に関わる物理チャネルは、報知情報チャネルと下りリファレンス信号であるため、それ以外の物理チャネルの詳細な説明は省略する。
報知情報チャネル（ＢＣＨ：Ｂｌｏａｄｃａｓｔ  Ｃｈａｎｎｅｌ）は、セル内の移動局装置で共通に用いられる制御パラメータを通知する目的で、基地局装置から移動局装置に送信される。
更に、報知情報チャネル（ＢＣＨ）はＰ−ＢＣＨ（Ｐｒｉｍａｒｙ  ＢＣＨ：プライマリ報知情報チャネル）とＤ−ＢＣＨ（Ｄｙｎａｍｉｃ  ＢＣＨ：ダイナミック報知情報チャネル）とに分類される。
プライマリ報知情報チャネル（Ｐ−ＢＣＨ）は、時間的・周波数的に所定の周期で送信することが予め決められており、移動局装置は、セルＩＤが同定されたセルについて受信することが可能である。プライマリ報知情報チャネル（Ｐ−ＢＣＨ）は、例えば、サブフレーム＃０の中心サブキャリアを用いて、基地局装置から移動局装置に送信される。
一方、ダイナミック報知情報チャネル（Ｄ−ＢＣＨ）は、下り共用制御チャネルを用いて、基地局装置から移動局装置に送信され、セル毎に送信位置を可変にすることも可能である。【００４３】
下りリファレンス信号とは、セル毎に準静的な電力で、基地局装置から移動局装置に送信されるパイロット信号のことである。また、下りリファレンス信号は、所定の時間間隔（例えば１フレーム）で周期的に繰り返される信号である。移動局装置は、所定の時間間隔で下りリファレンス信号を受信することによって、セル毎の受信品質の判定に用いる。
また、下りリファレンス信号は、下りリファレンス信号と同時に送信される下りデータの復調のための参照用の信号として用いられる。下りリファレンス信号に使用される系列は、セル毎に一意に識別可能な系列であれば、任意の系列を用いることができる。【００４４】
（第１の実施形態）
始めに、本発明の第１の実施形態について説明する。
図１は、本発明の第１の実施形態による移動局装置１００の構成を示す概略ブロック図である。移動局装置１００は、受信部１０１、復調部１０２、制御部１０３（ハンドオーバー処理部とも称する）、制御信号処理部１０４、データ処理部１０５、報知情報処理部１０６、下りリファレンス信号処理部１０７ａ、符号部１０８、変調部１０９、送信部１１０（測定結果送信部とも称する）、上位レイヤ１１１、アンテナＡ１を備えている。【００４５】
受信信号（基地局装置からの送信信号）は、アンテナＡ１を介して受信部１０１において受信される。受信信号は復調部１０２へと出力され、制御部１０３から入力される受信制御情報を基に復調され、下りデータチャネル、下り共用制御チャネル、報知情報チャネル、下りリファレンス信号に分類される。
受信制御情報には、各チャネルに関する受信タイミング、多重方法、リソース配置情報や復調に関する情報が含まれている。分類された各チャネルは、下りデータチャネルであればデータ処理部１０５へ、下り共用制御チャネルであれば制御信号処理部１０４へ、報知情報チャネルであれば報知情報処理部１０６へ、下りリファレンス信号であれば下りリファレンス信号処理部１０７ａへと出力される。
なお、前記以外のチャネルの場合、それぞれ他のチャネル制御部（図示省略）へと出力されるが、本実施形態には影響しないため、その説明を省略する。【００４６】
データ処理部１０５はトラフィックデータを取り出して上位レイヤ１１１へと出力する。制御信号処理部１０４は制御データを取り出して上位レイヤ１１１へと出力する。報知情報処理部１０６は報知情報データを取り出して上位レイヤ１１１へと出力する。
下りリファレンス信号処理部１０７ａは、リファレンスデータを取り出して上位レイヤ１１１へと出力する。また、上位レイヤ１１１から制御部１０３へ制御情報が入力される。【００４７】
一方、上位レイヤ１１１からトラフィックデータと制御データが符号部１０８に入力され、送信データとして符号化される。制御データは上りリファレンス信号と上り共用制御チャネルのデータを含む。
制御部１０３から送信制御情報が、符号部１０８と変調部１０９、送信部１１０に入力される。送信制御情報には、上りチャネルに関する送信タイミングや多重方法、各チャネルの送信データの配置情報、変調や送信電力に関する情報が含まれている。【００４８】
送信制御情報に基づき符号部１０８にて符号化された各送信データは変調部１０９に入力される。変調部１０９は、制御部１０３から指示される情報に従って、送信データに対して適切な変調方式で変調処理を行う。
変調部１０９で変調されたデータは送信部１１０に入力され、適切に電力制御された後にチャネル配置に基づきアンテナＡ１より基地局装置に送信される。
なお、その他の移動局装置１００の構成要素は本実施形態に関係ないため図示を省略している。各ブロックの動作は、上位レイヤ１１１によって統括的に制御される。【００４９】
なお、送信部１１０は、基地局装置のセル識別情報に基づいて測定処理を行い、その測定処理によって得られた受信品質の測定報告を基地局装置に送信する。
また、制御部１０３は、ハンドオーバー指示メッセージのセル識別情報で指定されたグローバルセル識別情報を持つ基地局装置の報知情報を取得する。そして、制御部１０３は、同一の同期チャネルの無線信号を送信する少なくとも２つの基地局装置のグローバルセル識別情報を同定した後にハンドオーバー手順を開始する。【００５０】
図２は、本発明の第１の実施形態による基地局装置２００の構成の一例を示すブロック図である。基地局装置２００は、受信部２０１、復調部２０２、制御部２０３、データ処理部２０４、制御信号処理部２０５、符号部２０６、変調部２０７、周辺基地局装置情報管理部２０８、送信部２０９（セル識別情報送信部とも称する）、上位レイヤ２１０、アンテナＡ２を備えている。【００５１】
受信信号（移動局装置１００、又は他の基地局装置２００からの送信信号）は、アンテナＡ２を介して受信部２０１において受信される。また、データ受信制御に関連する受信制御情報が制御部２０３より出力される。
受信信号は復調部２０２へと出力され、制御部２０３から指示される受信制御情報を基に、データチャネル、制御チャネルに分けられ、それぞれ復調される。
なお、前記以外のチャネルの場合、それぞれ他のチャネル制御部（図示省略）へと出力されるが、本実施形態には影響しないため省略してある。【００５２】
復調された各データは、データチャネルであればデータ処理部２０４へ、制御チャネルであれば制御信号処理部２０５へと出力される。データ処理部２０４ではトラフィックデータを取り出し上位レイヤ２１０へ出力する。
制御信号処理部２０５では制御データを取り出して上位レイヤ２１０へと出力する。なお、制御信号処理部２０５で得られる制御データに、移動局装置１００が測定した基地局装置２００の品質情報や、周辺セルのセルＩＤ割り当て情報などの基地局装置２００に関するデータ（周辺基地局データ）が含まれるときは、制御データは周辺基地局装置情報管理部２０８へ出力される。【００５３】
周辺基地局装置情報管理部２０８は、前記品質情報や周辺基地局データを基に、ある所定のエリアにおけるセルＩＤの衝突を検出した場合、衝突したセルＩＤを移動局装置１００へ通知するために必要なデータを上位レイヤ２１０へ出力する。また、上位レイヤ２１０から制御部２０３へ制御情報が入力される。
一方、上位レイヤ２１０からは、トラフィックデータと制御データが符号部２０６に入力される。制御データは同期チャネルや報知情報チャネル、下り共用制御チャネルを含む。また、制御部２０３より送信制御情報が符号部２０６、変調部２０７、送信部２０９に出力される。【００５４】
符号部２０６にて符号化されたトラフィックデータと制御データは変調部２０７に入力される。変調部２０７は、制御部２０３からの送信制御情報に従って、各送信データに対して適切な変調方式で変調処理を行う。
変調部２０７で変調されたデータは送信部２０９に入力され、適切に電力制御された後にチャネル配置に基づきアンテナＡ２より送信される。
なお、その他の基地局装置２００の構成要素は本実施形態に関係ないため図示を省略してある。また、各ブロックの動作は、上位レイヤ２１０によって統括的に制御される。【００５５】
なお、送信部２０９は、所定の通信範囲内に同一の同期チャネルの無線信号を送信する少なくとも２つの基地局装置２００が存在する場合において、同一の同期チャネルの無線信号を送信する基地局装置２００のセル識別情報を移動局装置１００に送信する。
また、送信部２０９は、所定の通信範囲内に同一の同期チャネルの無線信号を送信する少なくとも２つの基地局装置２００が存在する場合において、同一の同期チャネルの無線信号を送信する基地局装置２００のセル識別情報をハンドオーバー指示メッセージに含めて移動局装置１００に送信する。【００５６】
図３は、本発明の第１の実施形態による移動局装置１００の測定報告処理を示すシーケンス図である。図３は、セルＩＤが衝突している状況下での、移動局装置１００の測定報告処理を示している。移動局装置１００は在圏セル並びに周辺セルの受信品質の測定を開始する前、あるいは測定中の状態である。
ここでは、移動局装置１００は、ソースセル（セルＩＤ＝ＣＩＤ＿Ａ、ＧＣＩＤ＝ＧＣＩＤ＿Ａ）に在圏している場合について説明する。また、セルＩＤが同一のセルである隣接セル（セルＩＤ＝ＣＩＤ＿Ｂ、ＧＣＩＤ＝ＧＣＩＤ＿Ｂ）と衝突セル（セルＩＤ＝ＣＩＤ＿Ｂ、ＧＣＩＤ＝ＧＣＩＤ＿Ｃ）が測定可能な同じエリアに存在している場合について説明する。また、ソースセルは隣接セルと衝突セルとで同じセルＩＤ（ここでは、ＣＩＤ＿Ｂ）が使用されていることを知っている。【００５７】
このとき、ソースセルは、測定前または測定中の移動局装置１００に対して衝突セルＩＤ情報を通知する（ステップＳ１０１）。衝突セルＩＤ情報には、少なくともセルＩＤ（ＣＩＤ＿Ｂ）が含まれている。
衝突セルＩＤ情報を、ソースセルから移動局装置１００に通知する際には、ソースセル（ＣＩＤ＿Ａ）は報知情報チャネル（Ｐ−ＢＣＨとＤ−ＢＣＨのいずれか）を用いても良いし、下り共用制御チャネルを用いても良い。更には、ソースセルから移動局装置１００へ衝突セルＩＤ情報を通知可能であれば、それ以外の任意の物理チャネルやメッセージを用いても良い。【００５８】
移動局装置１００は、セルＩＤがＣＩＤ＿Ａのソースセルから下りリファレンス信号を受信する（ステップＳ１０２）。また、移動局装置１００は、セルＩＤがＣＩＤ＿Ｂの隣接セルから下りリファレンス信号を受信する（ステップＳ１０３）。また、移動局装置１００は、セルＩＤがＣＩＤ＿Ｂの衝突セルから下りリファレンス信号を受信する（ステップＳ１０４）。【００５９】
衝突セルＩＤ情報を取得した移動局装置１００は、衝突セルＩＤ例外処理を実施する（ステップＳ１０５）。移動局装置１００は、衝突セルＩＤ例外処理として、衝突セルＩＤ情報で指示されたセルＩＤ（図３ではＣＩＤ＿Ｂ）のセルに関する下りリファレンス信号の受信処理および受信品質測定を制限し、セル間の受信品質の判定に用いないように制御する。あるいは衝突セルＩＤ情報で指示されたセルＩＤのセルの受信品質に基づくイベント（例えば、ハンドオーバー条件の成立など）の報告を抑制する。この制限により、ＣＩＤ＿Ｂのセルの受信品質、すなわち隣接セル並びに衝突セルの受信品質、ならびにイベント報告は測定報告処理において測定報告メッセージに含まれずにソースセルＣＩＤ＿Ａに送信される（ステップＳ１０７）。【００６０】
図４は、本発明の第１の実施形態による移動局装置１００（図１）の下りリファレンス信号処理部１０７ａの構成を示す概略ブロック図である。下りリファレンス信号処理部１０７ａは、下りリファレンス信号抽出部１０７１ａ、系列選択部１０７２ａ、セルＩＤ管理部１０７３ａ、相関処理部１０７４ａ、品質管理部１０７５ａを備えている。【００６１】
系列選択部１０７２ａには、制御部１０３より受信制御情報が入力される。系列選択部１０７２ａに必要となる受信制御情報としては、例えば周波数帯域幅や受信時間情報（フレーム情報、サブフレーム情報やスロット情報など）、受信周波数情報（受信リソースブロック番号やサブキャリア番号など）、セルＩＤなどがある。【００６２】
系列選択部１０７２ａは、入力された受信制御情報を基に、復調に用いる適切な下りリファレンス信号の系列を選択（または生成）し、その信号（選択信号）を相関処理部１０７４ａに入力する。一方、衝突セルＩＤ情報を受信している場合は、受信制御信号のうち、衝突セルＩＤ情報（セルＩＤ）がセルＩＤ管理部１０７３ａに入力される。
セルＩＤ管理部１０７３ａは、系列選択部１０７２ａに対し、衝突しているセルＩＤに基づく下りリファレンス信号の系列を選択（または生成）しないように制限するよう通知する。【００６３】
また、下りリファレンス信号抽出部１０７１ａには、受信した下りリファレンス信号が入力される。下りリファレンス信号抽出部１０７１ａは、受信制御情報に従って、入力された下りリファレンス信号を信号の系列順に並び替え、抽出信号として相関処理部１０７４ａへ出力する。
相関処理部１０７４ａは、衝突セル以外のセルＩＤに基づく前記選択信号と抽出信号の相関処理を行い、品質管理部１０７５ａへ相関信号を出力する。品質管理部１０７５ａは、相関信号を基にセルＩＤ毎にセルの受信品質を測定し、上位レイヤ１１１にリファレンスデータとして出力する。
ここで、受信品質とは、ＥＵＴＲＡ  Ｃａｒｒｉｅｒ  ＲＳＳＩ（Ｒｅｃｅｉｖｅｄ  Ｓｉｇｎａｌ  Ｓｔｒｅｎｇｔｈ  Ｉｎｄｉｃａｔｏｒ）、ＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）、パスロスなどである。【００６４】
また、品質管理部１０７５ａは、在圏セルにおける一つ以上のリソースブロック、または複数サブキャリア毎の品質情報指標（ＣＱＩ：Ｃｈａｎｎｅｌ  Ｑｕａｌｉｔｙ  ｉｎｄｉｃａｔｏｒ）を測定し、上位レイヤ１１１にリファレンスデータとして出力する。
なお、下りリファレンス信号処理部１０７ａの動作は、衝突セルＩＤ情報で通知されたセルＩＤ（衝突セルＩＤ）以外のセルの下りリファレンス信号を抽出し、抽出した信号から受信品質を示すリファレンスデータを出力可能な処理を実施できれば、図４で説明した処理方法でなくても良い。
例えば、相関信号、またはリファレンスデータを出力するときに衝突セルＩＤのセルに該当する出力を制限するような方法でも良い。【００６５】
図５は、本発明の第１の実施形態による移動局装置１００（図１）の下りリファレンス信号処理部１０７ａによる衝突セルＩＤ例外処理（図３のステップＳ１０５）を示すフローチャートである。図５の処理は、衝突セルＩＤ情報を移動局装置１００が受信したときに開始される。
まず、受信した衝突セルＩＤ情報をセルＩＤ管理部１０７３ａに記録する（ステップＳ１１）。
続いて、系列選択部１０７２ａに入力されるセルＩＤ（検出済みセルＩＤ）に、前記衝突セルＩＤ情報で指定されたセルＩＤ（衝突セルＩＤ）が含まれているかを判定する（ステップＳ１２）。【００６６】
衝突セルＩＤが含まれている場合（ステップＳ１２で「ＹＥＳ」）、衝突セルＩＤに対応する下りリファレンス信号以外の信号を系列選択部１０７２ａで選択する（ステップＳ１３）。衝突セルＩＤが含まれていない場合は（ステップＳ１２で「ＮＯ」）、受信制御信号に基づく下りリファレンス信号が系列選択部１０７２ａで選択される（ステップＳ１４）。
そして、ステップＳ１３またはステップＳ１４の選択信号と、受信した下りリファレンス信号の抽出信号との相関処理を相関処理部１０７４ａで行い（ステップＳ１５）、相関信号を出力する。【００６７】
本実施形態によれば、移動局装置１００から基地局装置２００に対して、衝突しているセルＩＤのセルの受信品質の測定報告が行われなくなる。そのため、ハンドオーバー基準として衝突しているセルＩＤのセルの受信品質が使用されることも、ハンドオーバー先のセルとしてハンドオーバー指示メッセージで指定されることもなくなる。また、ＧＣＩＤの管理は基地局装置２００のみで行えばよく、移動局装置１００での管理は不要となる。【００６８】
本実施形態により、移動局装置１００は、同一のセルＩＤが存在し、互いに衝突していることを基地局装置２００により明示されることで、衝突しているセルの下りリファレンス信号の測定を行う必要がなくなる。よって、ハンドオーバー時に、移動局装置１００が衝突しているセルのどちらにハンドオーバーするか不明であるという不確実性を排除し、ハンドオーバーの成功確率を向上させることが可能となる。
また、衝突しているセルに関する不要な受信品質を移動局装置が測定する必要がなくなる。更に、衝突しているセルに関する測定報告メッセージを、移動局装置１００から基地局装置２００に送信しないため、移動局装置における消費電力の削減が可能となる。【００６９】
（第２の実施形態）
次に、本発明の第２の実施形態について説明する。第２の実施形態による移動通信システムは、基地局装置と移動局装置を備えている。第２の実施形態による基地局装置と移動局装置の構成は、それぞれ第１の実施形態による基地局装置２００（図２）と移動局装置１００（図１）と同様であるため、それらの説明を省略する。
ただし、第２の実施形態による移動局装置１００は、下りリファレンス信号処理部１０７ａの代わりに下りリファレンス信号処理部１０７ｂを備えている。【００７０】
第２の実施形態は、衝突セルＩＤ情報を取得した移動局装置１００が、測定報告処理前にＧＣＩＤを受信することによって、衝突している各セルＩＤのセルの受信品質を識別可能な仕組みを提供する。
本実施形態は、基地局装置２００間の送信タイミングが非同期である場合に好適であるが、基地局装置２００間の送信タイミングが同期している場合にも適用することができる。【００７１】
図６は、本発明の第２の実施形態によるハンドオーバー手順を示すシーケンス図である。図６は、セルＩＤが衝突している状況下のハンドオーバー手順を示しており、移動局装置１００と在圏セル並びに周辺セルとの関係は図３と同じである。なお、各セルからの下りリファレンス信号の送信（図３のステップＳ１０２、Ｓ１０３、Ｓ１０４）については図示を省略してある。【００７２】
ソースセルは、測定前または測定中の移動局装置１００に対して衝突セルＩＤ情報を通知する（ステップＳ２０１）。衝突セルＩＤ情報には、少なくともセルＩＤ（ＣＩＤ＿Ｂ）が含まれている。衝突セルＩＤ情報を移動局装置に通知する際には、ソースセル（ＣＩＤ＿Ａ）は報知情報チャネル（Ｐ−ＢＣＨとＤ−ＢＣＨのいずれか）を用いても良いし、下り共用制御チャネルを用いても良い。
更には、ソースセルから移動局装置１００へ衝突セルＩＤ情報を通知可能であれば、それ以外の任意の物理チャネルやメッセージを用いても良い。【００７３】
衝突セルＩＤ情報を取得した移動局装置１００は、ＧＣＩＤ取得処理を実施する（ステップＳ２０２）。ＧＣＩＤ取得処理とは、衝突セルＩＤ情報によって通知されたセルＩＤ（図６ではＣＩＤ＿Ｂ）のセルから送信される報知情報チャネルの受信処理を行い、指定されたセルＩＤのセルに割り当てられているＧＣＩＤ（図６ではＧＣＩＤ＿Ｂ）を取得する処理である。
移動局装置１００は、ＧＣＩＤを受信し（ステップＳ２０３、Ｓ２０４）、衝突時測定報告処理（ステップＳ２０５）において、取得したＧＣＩＤとセルＩＤとを関連付けた測定を行う。具体的には、セル間が非同期である場合、下りリファレンス信号と報知情報チャネルの受信タイミングが同じものを同一セルから送信されたチャネルだと判定し、判定したセル毎に、下りリファレンス信号の受信品質と報知情報チャネルから取得したＧＣＩＤとを関連付ける。【００７４】
セル間が同期である場合、報知情報チャネルの受信品質（受信電力やＢＬＥＲ（ＢＬｏｃｋ  Ｅｒｒｏｒ  Ｒａｔｅ：ブロック誤り率）など）を基に、移動局装置は、受信された下りリファレンス信号の受信品質をセル毎に予測する。そして、移動局装置は、予測した下りリファレンス信号の受信品質と報知情報チャネルから取得したＧＣＩＤとを関連付ける。
例えば、図６の例で、ＧＣＩＤ＿Ｂの報知情報チャネルとＧＣＩＤ＿Ｃの報知情報チャネルとの受信電力の比が１対２であった場合、ＣＩＤ＿Ｂとして受信された下りリファレンス信号の受信品質をＧＣＩＤ＿Ｂ：ＧＣＩＤ＿Ｃ＝１：２として分割したものを各々の受信品質として報告する。または、衝突セルＩＤ情報のセルの下りリファレンス信号については、受信信号を合成せずに各々の品質を測定し、受信品質として報告する。【００７５】
衝突時測定報告処理により、測定結果は測定報告メッセージでソースセル（ＣＩＤ＿Ａ）へ通知される（ステップＳ２０６）。このとき、測定報告メッセージには、セルＩＤと取得したＧＣＩＤとを関連付けた受信品質が設定される。ただし、衝突セルＩＤ情報として通知されたセルＩＤ以外のセルの受信品質は、通常と同じくセルＩＤと受信品質のみの対応で良い。【００７６】
ソースセル（ＣＩＤ＿Ａ）は、前記測定報告メッセージの内容から、移動局装置１００で測定された受信品質が、隣接セル（ＣＩＤ＿Ｂ）と衝突セル（ＣＩＤ＿Ｂ）のどちらであるか判定可能である。ソースセル（ＣＩＤ＿Ａ）が隣接セル（ＣＩＤ＿Ｂ）へのハンドオーバーが必要であると判定したとき、ソースセル（ＣＩＤ＿Ａ）から隣接セル（ＣＩＤ＿Ｂ）へハンドオーバー要求メッセージにて移動局装置１００のハンドオーバーの必要性を通知し、ハンドオーバーのための準備を要求する（ステップＳ２０７）。【００７７】
前記ハンドオーバー要求メッセージを受信した隣接セル（ＣＩＤ＿Ｂ）は、ハンドオーバーが実行可能と判定した場合、ハンドオーバー要求許可メッセージをソースセル（ＣＩＤ＿Ａ）に通知する（ステップＳ２０８）。
ハンドオーバー要求許可メッセージを受信したソースセル（ＣＩＤ＿Ａ）は、移動局装置１００に対し、ハンドオーバー指示メッセージを通知する（ステップＳ２０９）。このとき、ハンドオーバー指示メッセージで衝突セルＩＤのセルが指定される場合、セルＩＤとＧＣＩＤの両方を含めたハンドオーバー指示メッセージが通知される。【００７８】
移動局装置１００が前記メッセージを受信することでハンドオーバー処理が開始される。ハンドオーバー指示メッセージにハンドオーバー実行時間が含まれている場合、移動局装置１００は、ハンドオーバー実行時間に至った時点でハンドオーバーを実行する（ステップＳ２１０）。
ハンドオーバー実行時間として、即時実行が指定される場合もある。移動局装置１００は、ハンドオーバー実行時間にハンドオーバー指示メッセージで指定された無線周波数や送受信回路の制御パラメータの切り替えを行う。その後、移動局装置１００は、指定された隣接セルＣＩＤ＿Ｂとの下り無線同期を確立するための下り同期確立処理を行う（ハンドオーバー処理）。【００７９】
下り同期確立処理のための制御パラメータは、先のハンドオーバー指示メッセージに含まれるか、事前にソースセル（ＣＩＤ＿Ａ）より移動局装置に報知または通知される。下り同期確立が完了した移動局装置１００は、隣接セル（ＣＩＤ＿Ｂ）との上り同期確立のために、ランダムアクセス送信を行う（ステップＳ２１１）。ステップＳ２１２、Ｓ２１３の処理は、図１８のステップＳ２１２、Ｓ２１３の処理と同様であるため、それらの説明を省略する。【００８０】
図７は、本発明の第２の実施形態による移動局装置１００の下りリファレンス信号処理部１０７ｂの構成を示す概略ブロック図である。下りリファレンス信号処理部１０７ｂは、下りリファレンス信号抽出部１０７１ｂ、系列選択部１０７２ｂ、セルＩＤ管理部１０７３ｂ、相関処理部１０７４ｂ、品質管理部１０７５ｂを備えている。【００８１】
系列選択部１０７２ｂには、制御部１０３より受信制御情報が入力される。系列選択部１０７２ｂに必要となる受信制御情報としては、例えば周波数帯域幅や受信時間情報（フレーム情報、サブフレーム情報やスロット情報など）、受信周波数情報（受信リソースブロック番号やサブキャリア番号など）、セルＩＤなどがある。【００８２】
系列選択部１０７２ｂは、入力された受信制御情報を基に、復調に用いる適切な下りリファレンス信号の系列を選択（または生成）し、その信号（選択信号）を相関処理部１０７４ｂに入力する。
一方、衝突セルＩＤ情報を受信している場合は、受信制御信号のうち、衝突セルＩＤ情報（セルＩＤ）とＧＣＩＤ情報がセルＩＤ管理部１０７３ｂに入力される。衝突セルＩＤ情報とＧＣＩＤ情報はセル毎に一意に対応している。【００８３】
また、下りリファレンス信号抽出部１０７１ｂには、受信した下りリファレンス信号が入力される。下りリファレンス信号抽出部１０７１ｂは、受信制御情報に従って、入力された下りリファレンス信号を信号の系列順に並び替え、抽出信号として相関処理部１０７４ｂへ出力する。また、セルＩＤ管理部１０７３ｂより、相関処理部１０７４ｂに対し、ＧＣＩＤ情報と衝突セルＩＤ情報が通知される。【００８４】
相関処理部１０７４ｂは、衝突セルのセルＩＤに基づく前記選択信号と抽出信号の相関処理を行う場合、品質管理部１０７５ｂへ相関信号を出力する際に、セルＩＤの他にＧＣＩＤ情報との関連付けを行い、ＧＣＩＤ毎に相関信号を品質管理部１０７５ｂへ出力する。
衝突セルのセルＩＤ以外であれば、通常通りセルＩＤ毎の相関信号が品質管理部１０７５ｂへ出力される。品質管理部１０７５ｂは、相関信号を基にセルＩＤ毎、またはＧＣＩＤ毎のセルの受信品質を測定し、上位レイヤ１１１にリファレンスデータとして出力する。
ここで、受信品質とは、ＥＵＴＲＡ  Ｃａｒｒｉｅｒ  ＲＳＳＩ、ＲＳＲＰ、ＲＳＲＱ、パスロスなどである。【００８５】
また、品質管理部１０７５ｂは、在圏セルにおける一つ以上のリソースブロック、または複数サブキャリア毎の品質情報指標を測定し、上位レイヤ１１１にリファレンスデータとして出力する。
なお、下りリファレンス信号処理部１０７ｂの動作は、衝突セルＩＤ情報で通知されたセルＩＤに対応する下りリファレンス信号との相関処理時に、ＧＣＩＤ毎のセルの受信品質を示すリファレンスデータを出力可能な処理を実施できれば、図７で説明した方法でなくても良い。【００８６】
図８は、本発明の第２の実施形態による移動局装置１００によるＧＣＩＤ取得処理を示すフローチャートである。図８の処理は、衝突セルＩＤ情報を移動局装置１００が受信したときに開始される。
まず、移動局装置１００は、受信した衝突セルＩＤ情報を記録する（ステップＳ２１）。続いて、ステップＳ２１で記録したセルＩＤのセルにて送信されている報知情報チャネルを受信し、セル毎の報知情報を取得する（ステップＳ２２）。
最後に、受信した報知情報からＧＣＩＤ情報を取得し、記録し（ステップＳ２３）、図８の処理を終了する。【００８７】
図９は、本発明の第２の実施形態による移動局装置１００の下りリファレンス信号処理部１０７ｂの衝突時測定報告処理（図６のステップＳ２０５）を示すフローチャートである。図９の処理は、衝突セルＩＤ情報を移動局装置１００が受信したときに開始される。
まず、受信した衝突セルＩＤ情報をセルＩＤ管理部１０７３ｂに記録する（ステップＳ２５）。
続いて、受信制御信号に基づく下りリファレンス信号が系列選択部１０７２ｂで選択される（ステップＳ２６）。次に、系列選択部１０７２ｂで選択されたセルＩＤ（検出済みセルＩＤ）に、前記衝突セルＩＤ情報で指定されたセルＩＤ（衝突セルＩＤ）が含まれているかを判定する（ステップＳ２７）。【００８８】
衝突セルＩＤが含まれている場合（ステップＳ２７で「ＹＥＳ」）、相関処理部１０７４ｂは、ステップＳ２６の選択信号と、受信した衝突セルの下りリファレンス信号の抽出信号との相関処理を行う。ここでは、衝突したセルＩＤのＧＣＩＤ毎に相関信号が出力されるように相関処理を行う（ステップＳ２８）。
衝突セルＩＤが含まれていない場合は（ステップＳ２７で「ＮＯ」）、ステップＳ２６の選択信号と、受信した下りリファレンス信号の抽出信号との相関処理を相関処理部１０７４ｂにて行い（ステップＳ２９）、相関信号を出力する。【００８９】
図１０Ａ及び図１０Ｂは、測定報告メッセージの一例を示す図である。図１０Ａは、衝突セルＩＤ情報で指定されたセルＩＤを測定報告メッセージに含めない従来のメッセージの例である。図１０Ｂは、衝突セルＩＤ情報で指定されたセルＩＤを測定報告メッセージに含める場合のメッセージの例を示している。【００９０】
図１０Ａにおいて、移動局装置１００は、セルＩＤ（例えば、ＣＩＤ＿Ａ）と品質情報（例えば、品質情報＿Ａ）とを１セットとして報告する。報告するセットとしては、例えば、ある閾値を越えた品質のセルを報告する方法を用いることができるが、その他の方法を用いても良い。
図１０Ｂにおいて、移動局装置１００は、衝突しているセルＩＤのセルの受信品質を報告する場合、セルＩＤ（例えば、ＣＩＤ＿Ｂ）とＧＣＩＤ（例えば、ＧＣＩＤ＿Ｂ）と受信品質（品質情報＿Ｂ）を１セットとして報告する。衝突していないセルＩＤについては、図１０Ａと同じ構成である。なお、品質情報の内容として、１種類以上の測定結果を含めるようにしても良い。【００９１】
図１１Ａ及び図１１Ｂは、ハンドオーバー指示メッセージの一例を示す図である。図１１Ａは、衝突セルＩＤ情報で指定されたセルＩＤ以外へのハンドオーバーを指示する場合の従来のメッセージの例である。図１１Ｂは、衝突セルＩＤ情報で指定されたセルＩＤへのハンドオーバーを指示する場合のメッセージの例である。
図１１Ａにおいて、基地局装置２００は、少なくともセルＩＤとハンドオーバーで使用される制御パラメータを通知する。制御パラメータには、図１１Ａに示すように周波数情報、ＣＩＤ情報（例えば、ＣＩＤ＿Ｂ）、プリアンブル情報、ハンドオーバー実行時間、上り送信タイミングが含まれている。なお、ハンドオーバー手順のために必要な制御パラメータであれば、これらの制御パラメータ以外のものを使用しても良い。【００９２】
図１１Ｂにおいて、基地局装置２００は、図１１Ａの情報の他に、少なくともＧＣＩＤ情報（例えば、ＧＣＩＤ＿Ｂ）を追加した制御パラメータを通知する。
本実施形態によれば、移動局装置１００から基地局装置２００に対して衝突しているセルＩＤのＧＣＩＤに対応した受信品質の測定報告が行われる。そのため、移動局装置１００はセルＩＤが衝突しているセルであっても、各セルの受信品質を報告することが可能となる。【００９３】
また、基地局装置２００は、ハンドオーバー先のセルを適切に選択することが可能となる。更に、ハンドオーバー先のセルとして指定されるセルを明示することが可能となる。また、移動局装置１００は衝突セルＩＤ情報を受信したときに、指定されたセルのＧＣＩＤのみを取得すれば良いため、衝突しているセルがないエリアでの測定処理手順は通常と同じで良い。【００９４】
本実施形態により、移動局装置１００は、同一のセルＩＤが存在し、互いに衝突していることと、衝突しているセルのＧＣＩＤとを、基地局装置２００から明示されるため、ＧＣＩＤに基づく下りリファレンス信号の測定を行うことが可能となる。
また、衝突しているセルであっても、ＧＣＩＤによって各々の品質情報を明示することが可能となり、基地局装置２００に精度の高い測定結果を報告することが可能となる。これにより、不適切なハンドオーバーが抑制することができるため通信品質を向上させることができる。
また、ハンドオーバー時に、衝突しているセルのどちらに移動局装置１００がハンドオーバーするか不明であるという不確実性を排除し、ハンドオーバーの成功確率を向上させることが可能となる。【００９５】
（第３の実施形態）
次に、本発明の第３の実施形態について説明する。第３の実施形態による移動通信システムは、基地局装置と移動局装置を備えている。第３の実施形態による基地局装置と移動局装置の構成は、それぞれ第１の実施形態による基地局装置２００（図２）と移動局装置１００（図１）と同様であるため、それらの説明を省略する。
第３の実施形態は、ハンドオーバー指示メッセージ内に衝突セルＩＤ情報を含めることで、ハンドオーバー後にアクセスされるセルを識別可能な仕組みを提供する。【００９６】
図１２は、本発明の第３の実施形態によるハンドオーバー手順を示すシーケンス図である。図１２は、セルＩＤが衝突している状況下のハンドオーバー手順を示している。
移動局装置１００と在圏セル並びに周辺セルとの関係は図３と同じである。また、ハンドオーバー指示メッセージがソースセル（ＣＩＤ＿Ａ）から通知されるまでの処理（ステップＳ３０５、Ｓ３０６、Ｓ３０７）は、図６の処理（ステップＳ２０６、Ｓ２０７、Ｓ２０８）の処理と同じである。
また、測定報告処理における下りリファレンス信号の測定処理（ステップＳ３０１、Ｓ３０２、Ｓ３０３、Ｓ３０４）は、図１９の処理（ステップＳ０２０、Ｓ０２１、Ｓ０２２、Ｓ０２３）と同じである。【００９７】
本実施形態のソースセル（ＣＩＤ＿Ａ）の基地局装置２００は、移動局装置１００から報告される周辺セルの受信品質や、セル間毎のハンドオーバーの成功回数などの情報を周辺基地局装置情報管理部２０８に保持している。そして、ソースセル（ＣＩＤ＿Ａ）の基地局装置２００は、これらの統計情報を利用し、移動局装置１００が同一セルＩＤの下りリファレンス信号を識別せずに測定していたとしても、ある程度は好適なハンドオーバー先のセルを指定することができる。【００９８】
本実施形態では、ソースセルがハンドオーバー指示メッセージを移動局装置１００に送信する場合に、ハンドオーバー指示メッセージに衝突セルＩＤ情報を含めて通知する（ステップＳ３０８）。衝突セルＩＤ情報には、少なくともセルＩＤ（例えば、ＣＩＤ＿Ｂ）とＧＣＩＤ（例えば、ＧＣＩＤ＿Ｂ）が含まれている。
衝突セルＩＤ情報を取得した移動局装置１００は、ハンドオーバー時ＧＣＩＤ取得処理を実施する（ステップＳ３０９）。ハンドオーバー時ＧＣＩＤ取得処理とは、ハンドオーバー指示メッセージ内の衝突セルＩＤ情報によって通知されたセルＩＤ（図１２ではＣＩＤ＿Ｂ）のセルから送信される報知情報チャネルの受信処理を行い、指定されたセルＩＤのセルに割り当てられているＧＣＩＤを取得する処理である。【００９９】
移動局装置１００は、ハンドオーバー処理の前に指定されたセルＩＤの報知情報チャネルからＧＣＩＤを受信し（ステップＳ３１０、Ｓ３１１）、ハンドオーバー先のセルを一意に特定する（図１２では、ＧＣＩＤ＿Ｂである隣接セルＣＩＤ＿Ｂ）。
ハンドオーバー指示メッセージにハンドオーバー実行時間が含まれている場合、移動局装置１００は、ハンドオーバー実行時間に至る前にＧＣＩＤ取得処理を行い、ハンドオーバー実行時間に至った時点でハンドオーバーを実行する（ステップＳ３１２）。ハンドオーバー実行時間として、即時実行が指定された場合、またはＧＣＩＤ取得前にハンドオーバー実行時間に至った場合は、移動局装置１００は、ＧＣＩＤを取得した直後にハンドオーバーを実行する。【０１００】
移動局装置１００は、ＧＣＩＤを取得済みであり、かつハンドオーバー実行時間後であればハンドオーバー指示メッセージで指定された無線周波数や送受信回路の制御パラメータの切り替えを行う。その後、移動局装置１００は、ＧＣＩＤが一致した隣接セル（ＣＩＤ＿Ｂ）との下り無線同期を確立するための下り同期確立処理を行う（ハンドオーバー処理）。
下り同期確立処理のための制御パラメータは、先のハンドオーバー指示メッセージに含まれるか、事前にソースセル（ＣＩＤ＿Ａ）から移動局装置１００に報知または通知される。下り同期確立が完了した移動局装置１００は、隣接セル（ＣＩＤ＿Ｂ）との上り同期確立のために、ランダムアクセス送信を行う（ステップＳ３１３）。ステップＳ３１４、Ｓ３１５の処理は、図６のステップＳ２１２、Ｓ２１３の処理と同様であるため、それらの説明を省略する。【０１０１】
図１３は、本発明の第３の実施形態による移動局装置１００のＧＣＩＤ取得処理（図１２のステップＳ３０９）を示すフローチャートである。図１３の処理は、衝突セルＩＤ情報を含んだハンドオーバー指示メッセージを移動局装置１００が受信したときに開始される。
まず、移動局装置１００は、受信した衝突セルＩＤ情報を記録する（ステップＳ３１）。続いて、移動局装置１００は、ステップＳ３１で記録したセルＩＤのセルにて送信されている報知情報チャネルを受信し、セル毎の報知情報を取得する処理を行う（ステップＳ３２）。最後に、移動局装置１００は、受信した報知情報からＧＣＩＤ情報を取得し、記録する処理を行い（ステップＳ３３）、図１３に示す処理を終了する。【０１０２】
また、本実施形態で使用されるハンドオーバー指示メッセージの構成は、図１１Ａ又は図１１Ｂと同じものを用いる。すなわち、移動局装置１００に対し、衝突セルＩＤ情報で指定されたセルＩＤ以外へのハンドオーバーを指示する場合、基地局装置２００は図１１Ａのメッセージを送信する。また、基地局装置２００は、衝突セルＩＤ情報で指定されたセルＩＤへのハンドオーバーを指示する場合、図１１Ｂのメッセージを移動局装置１００に送信する。【０１０３】
本実施形態によれば、移動局装置１００は測定報告に対して特別な処理をする必要がなくなり、制御が簡単になる。また、基地局装置２００は、ＧＣＩＤを用いることでハンドオーバー先のセルとして指定されるセルを明示することが可能となる。このため、移動局装置１００は、セルＩＤが衝突している場合でもハンドオーバー先のセルを特定することが可能である。
また、移動局装置１００は衝突セルＩＤ情報をハンドオーバー指示メッセージで受信したときに、指定されたセルのＧＣＩＤのみを取得すれば良いため、衝突しているセルがないエリアでのハンドオーバー手順は通常と同じで良い。【０１０４】
本実施形態により、移動局装置１００はハンドオーバー手順の開始時において、同一のセルＩＤが存在し互いに衝突していることと、衝突しているセルのＧＣＩＤとを、基地局装置２００から明示され、ＧＣＩＤに基づくハンドオーバー先のセルの特定を行うことが可能となる。
また、ハンドオーバー時に、衝突しているセルのどちらに移動局装置１００がハンドオーバーするか不明であるという不確実性を排除し、ハンドオーバーの成功確率を向上させることが可能となる。【０１０５】
（第４の実施形態）
次に、本発明の第４の実施形態について説明する。第４の実施形態による移動通信システムは、基地局装置と移動局装置を備えている。第４の実施形態による基地局装置と移動局装置の構成は、それぞれ第１の実施形態による基地局装置２００（図２）と移動局装置１００（図１）と同様であるため、それらの説明を省略する。【０１０６】
第４の実施形態は、衝突セルＩＤ情報にセルＩＤとＧＣＩＤを含め、測定報告処理前にＧＣＩＤを受信することによって、衝突している各セルＩＤのセルの受信品質を識別可能な仕組みを提供する。また、本実施形態では、指定されたＧＣＩＤのセルの受信品質を移動局装置１００が報告しない仕組みを提供する。
本実施形態は、基地局装置２００間の送信タイミングが非同期である場合に好適である。しかし、基地局装置２００間の送信タイミングが同期している場合にも適用することができる。【０１０７】
図１４は、本発明の第４の実施形態による移動局装置１００の測定報告処理を示すシーケンス図である。図１４は、セルＩＤが衝突している状況下での、移動局装置１００の測定報告処理を示している。移動局装置１００と在圏セル並びに周辺セルとの関係は図３と同じである。
ソースセルは、測定前または測定中の移動局装置１００に対して衝突セルＩＤ情報を通知する（ステップＳ４０１）。衝突セルＩＤ情報には、少なくともセルＩＤ（例えば、ＣＩＤ＿Ｂ）とＧＣＩＤ（例えば、ＧＣＩＤ＿Ｃ）が含まれている。【０１０８】
衝突セルＩＤ情報を移動局装置１００に通知する際には、ソースセル（ＣＩＤ＿Ａ）は報知情報チャネル（Ｐ−ＢＣＨとＤ−ＢＣＨのいずれか）を用いても良いし、下り共用制御チャネルを用いても良い。
更には、ソースセルから移動局装置１００へ衝突セルＩＤ情報を通知可能であれば、それ以外の任意の物理チャネルやメッセージを用いても良い。【０１０９】
衝突セルＩＤ情報を取得した移動局装置１００は、ＧＣＩＤ取得処理を実施する（ステップＳ４０２）。ＧＣＩＤ取得処理とは、衝突セルＩＤ情報によって通知されたセルＩＤ（図１４ではＣＩＤ＿Ｂ）のセルから送信される報知情報チャネルの受信処理を行い、指定されたセルＩＤのセルに割り当てられているＧＣＩＤを取得する処理である。
移動局装置１００は、ＧＣＩＤを受信し（ステップＳ４０３、Ｓ４０４）、衝突ＧＣＩＤ例外処理を行う（ステップＳ４０５）。衝突ＧＣＩＤ例外処理とは、衝突セルＩＤ情報で指示されたＧＣＩＤ（図１４ではＧＣＩＤ＿Ｃ）のセルに関する下りリファレンス信号の受信処理および受信品質測定を制限し、セル間の受信品質の判定に用いないように制御する処理、あるいは、衝突セルＩＤ情報で指示されたＧＣＩＤのセルの受信品質に基づくイベント（例えば、ハンドオーバー条件の成立など）の報告を抑制する処理である。【０１１０】
具体的には、セル間が非同期である場合、下りリファレンス信号と報知情報チャネルの受信タイミングが同じものを同一セルから送信されたチャネルだと移動局装置１００は判定する。そして、移動局装置１００は、判定したセル毎に、下りリファレンス信号の受信品質と報知情報チャネルから取得したＧＣＩＤとを関連付ける。そして、移動局装置１００は、衝突セルとなるＧＣＩＤのセルについては下りリファレンス信号の報告を制限する。【０１１１】
セル間が同期である場合、移動局装置１００は、報知情報チャネルの受信品質（受信電力やＢＬＥＲなど）を基に、受信された下りリファレンス信号の受信品質をセル毎に予測する。そして、移動局装置１００は、予測した下りリファレンス信号の受信品質と、報知情報チャネルから取得したＧＣＩＤとを関連付ける。または、移動局装置１００は、衝突セルＩＤ情報のセルの下りリファレンス信号については、受信信号を合成せずに各々の品質を測定し、報知情報チャネルから取得したＧＣＩＤと関連付ける。
そして、衝突セルとなるＧＣＩＤのセルについては下りリファレンス信号の報告を制限する。移動局装置１００は、衝突セルＩＤ例外処理として、衝突セルＩＤ情報で指示されたＧＣＩＤ（図１４ではＧＣＩＤ＿Ｃ）のセルに関する下りリファレンス信号の受信処理および受信品質測定を制限し、セル間の受信品質の判定に用いないように制御する。これにより、ＧＣＩＤ＿Ｃのセルの受信品質は測定報告処理（ステップＳ４０６）において測定報告メッセージに含まれずにソースセル（ＣＩＤ＿Ａ）に送信される（ステップＳ４０７）。【０１１２】
本実施形態の移動局装置１００の下りリファレンス信号処理部は、図７の下りリファレンス信号処理部１０７ｂと同じものを用いることができるため、その詳細な説明を省略する。ただし、本実施形態の下りリファレンス信号処理部１０７ｂでは、指定されたＧＣＩＤのセルに関連する下りリファレンス信号以外のリファレンスデータが出力可能な処理が実施される。
例えば、選択信号、相関信号、またはリファレンスデータを出力するときに衝突セルＩＤ情報で指定されたＧＣＩＤ（衝突セルＩＤ）のセルに該当する出力を制限する。なお、ＧＣＩＤ取得処理は図８と同じ処理を使用することができる。【０１１３】
図１５は、本発明の第４の実施形態による移動局装置１００の下りリファレンス信号処理部１０７ｂ（図７参照）のＧＣＩＤ例外処理を示すフローチャートである。図１５の処理は、衝突セルＩＤ情報を移動局装置１００が受信したときに開始される。まず、移動局装置１００は、受信した衝突セルＩＤ情報をセルＩＤ管理部１０７３ｂに記録する（ステップＳ４１）。
続いて、系列選択部１０７２ｂに入力されるセルＩＤ（検出済みセルＩＤ）に、前記衝突セルＩＤ情報で指定されたセルＩＤ（衝突セルＩＤ）が含まれているかを判定する（ステップＳ４２）。【０１１４】
衝突セルＩＤが含まれている場合（ステップＳ４２で「ＹＥＳ」）、系列選択部１０７２ｂは、更に前記衝突セルＩＤ情報で指定されたＧＣＩＤかどうかを判定する（ステップＳ４３）。指定されたＧＣＩＤであった場合（ステップＳ４３で「ＹＥＳ」）、衝突セルＩＤのＧＣＩＤに対応する下りリファレンス信号以外の信号を系列選択部１０７２ｂで選択する（ステップＳ４４）。
衝突セルＩＤが含まれていない場合、または指定されたＧＣＩＤでない場合は（ステップＳ４２で「ＮＯ」、かつ、ステップＳ４３で「ＮＯ」）、受信制御信号に基づく下りリファレンス信号が系列選択部１０７２ｂで選択される（ステップＳ４５）。そして、ステップＳ４５の選択信号と受信した下りリファレンス信号の抽出信号との相関処理を相関処理部１０７４ｂにて行い（ステップＳ４６）、相関信号を出力する。
なお、本実施形態において、移動局装置１００は衝突セルＩＤ情報で指定されたＧＣＩＤのセルの受信品質を除外するのではなく、指定されたＧＣＩＤ以外のセルの受信品質を除外するようにしても良い。【０１１５】
本実施形態によれば、移動局装置１００において、衝突しているセルＩＤのうち、指定されたＧＣＩＤのセルの受信品質の測定報告が行われなくなる。そのため、ハンドオーバー基準として指定されたＧＣＩＤのセルの受信品質が使用されることも、ハンドオーバー先のセルとしてハンドオーバー指示メッセージで指定されることもなくなる。
また、移動局装置１００は衝突セルＩＤ情報を受信したときに、指定されたセルのＧＣＩＤのみを取得すれば良いため、衝突しているセルがないエリアでの測定処理手順は通常と同じ処理を使用することができる。【０１１６】
本実施形態により、移動局装置１００は、同一のセルＩＤが存在し、互いに衝突していることを基地局装置２００により明示されるため、衝突しているセルＩＤのうち、指定されたＧＣＩＤのセルの下りリファレンス信号の測定を行う必要がなくなる。よって、ハンドオーバー時に、衝突しているセルのどちらに移動局装置１００がハンドオーバーするか不明であるという不確実性を排除し、ハンドオーバーの成功確率を向上させることが可能となる。
また、移動局装置１００は、衝突しているセルＩＤのうち、指定されたＧＣＩＤのセルに関する不要な受信品質の測定をする必要がなくなる。更に、移動局装置１００は、指定されたＧＣＩＤのセルに関する測定報告メッセージの送信を行わないため、消費電力の削減が可能となる。【０１１７】
なお、以上説明した実施形態において、第１〜第４の実施形態の移動局装置１００や基地局装置２００の各部の機能を実現するためのプログラムをコンピュータ読み取り可能な記録媒体に記録して、この記録媒体に記録されたプログラムをコンピュータシステムに読み込ませ、実行することにより移動局装置１００や基地局装置２００の制御を行っても良い。なお、ここでいう「コンピュータシステム」とは、ＯＳや周辺機器等のハードウェアを含む。【０１１８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良く、さらに前述した機能をコンピュータシステムにすでに記録されているプログラムとの組み合わせで実現できるものであっても良い。【０１１９】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０１２０】
本発明は、衝突セルが存在する場合であっても、移動局装置と基地局装置との間で通信する際の処理を簡略化することができる移動通信システム、基地局装置、移動局装置及び移動通信方法などに適用できる。
【図１】
2009098960.tif 000003
【図２】
2009098960.tif 000004
【図３】
2009098960.tif 000005
【図４】
2009098960.tif 000006
【図５】
2009098960.tif 000007
【図６】
2009098960.tif 000008
【図７】
2009098960.tif 000009
【図８】
2009098960.tif 000010
【図９】
2009098960.tif 000011
【図１０Ａ】
2009098960.tif 000012
【図１０Ｂ】
2009098960.tif 000013
【図１１Ａ】
2009098960.tif 000014
【図１１Ｂ】
2009098960.tif 000015
【図１２】
2009098960.tif 000016
【図１３】
2009098960.tif 000017
【図１４】
2009098960.tif 000018
【図１５】
2009098960.tif 000019
【図１６】
2009098960.tif 000020
【図１７】
2009098960.tif 000021
【図１８】
2009098960.tif 000022
【図１９】
2009098960.tif 000023
【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
移動局装置と、前記移動局装置の在圏セルを管理する第１の基地局装置と、前記移動局装置のハンドオーバー先のセルを管理する第２の基地局装置とを備える移動通信システムであって、
前記第１の基地局装置は、前記移動局装置が送信した測定報告メッセージに含まれる前記第２の基地局装置の同期チャネルの無線信号の組み合わせを示す第１のセル識別情報から前記移動局装置のハンドオーバー先のセルを確定できない場合に、前記移動局装置が報告したセルをハンドオーバー先のセルとして確定するために用いる第２のセル識別情報を前記第２の基地局装置から受信することを前記移動局装置に要求し、
前記移動局装置は、前記第２の基地局装置から受信した前記第２のセル識別情報を測定報告メッセージに含めて前記第１の基地局装置に送信することを特徴とする移動通信システム。
【請求項２】
前記第２のセル識別情報は、前記基地局装置の報知情報チャネルで送信されるセル毎に一意に割り当てられるグローバルセル識別情報を含むことを特徴とする請求項１に記載の移動通信システム。
【請求項３】
前記第１の基地局装置は、前記移動局装置から受信した前記第２のセル識別情報を含む測定報告メッセージに基づき、前記ハンドオーバー先のセルの第２の基地局装置にハンドオーバーを要求することを特徴とする請求項１に記載の移動通信システム。
【請求項４】
前記第２の基地局装置は、前記第１の基地局装置が要求したハンドオーバーが実行可能かを判断することを特徴とする請求項３に記載の移動通信システム。
【請求項５】
前記第１の基地局装置は、前記第２の基地局装置からハンドオーバー要求許可メッセージを受信した場合、ハンドオーバー指示メッセージを移動局装置へ送信することを特徴とする請求項３または請求項４に記載の移動通信システム。
【請求項６】
移動局装置と通信する基地局装置であって、
前記移動局装置の在圏セルを管理し、
前記移動局装置が送信した測定報告メッセージに含まれる前記移動局装置のハンドオーバー先のセルを管理する基地局装置の同期チャネルの無線信号の組み合わせを示す第１のセル識別情報から前記移動局装置のハンドオーバー先のセルを確定できない場合に、前記移動局装置が報告したセルをハンドオーバー先のセルとして確定するために用いる第２のセル識別情報を前記ハンドオーバー先のセルを管理する基地局装置から受信することを前記移動局装置に要求することを特徴とする基地局装置。
【請求項７】
移動局装置であって、
前記移動局装置の在圏セルを管理する第１の基地局装置および前記移動局装置のハンドオーバー先のセルを管理する第２の基地局装置と通信し、
前記第１の基地局装置からの要求に基づき、前記移動局装置が送信した測定報告メッセージに含まれる前記第２の基地局装置の同期チャネルの無線信号の組み合わせを示す第１のセル識別情報から前記移動局装置のハンドオーバー先のセルを確定できない場合に、前記移動局装置が報告したセルをハンドオーバー先のセルとして確定するために用いる第２のセル識別情報を前記第２の基地局装置から受信し、
前記第２の基地局装置から受信した前記第２のセル識別情報を測定報告メッセージに含めて前記第１の基地局装置に送信することを特徴とする移動局装置。
【請求項８】
移動局装置と、前記移動局装置の在圏セルを管理する第１の基地局装置と、前記移動局装置のハンドオーバー先のセルを管理する第２の基地局装置とを用いた移動通信方法であって、
前記第１の基地局装置は、前記移動局装置が送信した測定報告メッセージに含まれる前記第２の基地局装置の同期チャネルの無線信号の組み合わせを示す第１のセル識別情報から前記移動局装置のハンドオーバー先のセルを確定できない場合に、前記移動局装置が報告したセルをハンドオーバー先のセルとして確定するために用いる第２のセル識別情報を前記第２の基地局装置から受信することを前記移動局装置に要求するステップを有し、
前記移動局装置は、前記第２の基地局装置から受信した前記第２のセル識別情報を測定報告メッセージに含めて前記第１の基地局装置に送信するステップを有することを特徴とする移動通信方法。
【手続補正書】
【提出日】平成22年10月7日(2010.10.7)
【手続補正１】
【補正対象書類名】特許請求の範囲
【補正対象項目名】全文
【補正方法】変更
【補正の内容】
【特許請求の範囲】
【請求項１】
移動局装置と、前記移動局装置の在圏セルを管理する第１の基地局装置と、前記移動局装置のハンドオーバー先のセルを管理する第２の基地局装置とを備える移動通信システムであって、
前記第１の基地局装置は、前記移動局装置が送信した測定報告メッセージに含まれる前記第２の基地局装置の同期チャネルの無線信号の組み合わせを示す第１のセル識別情報から前記移動局装置のハンドオーバー先のセルを適切に選択できない場合に、前記移動局装置が報告したセルをハンドオーバー先のセルとして選択するために用いる第２のセル識別情報の受信を開始させるために、前記第２の基地局装置の前記第１のセル識別情報を前記移動局装置に通知し、
前記移動局装置は、前記通知された第１のセル識別情報で示される前記第２の基地局装置から前記第２のセル識別情報を受信し、前記第２のセル識別情報を測定報告メッセージに含めて前記第１の基地局装置に送信することを特徴とする移動通信システム。
【請求項２】
前記第２のセル識別情報は、前記基地局装置の報知情報チャネルで送信されるセル毎に一意に割り当てられるグローバルセル識別情報を含むことを特徴とする請求項１に記載の移動通信システム。
【請求項３】
前記第１の基地局装置は、前記移動局装置から受信した前記第２のセル識別情報を含む測定報告メッセージに基づき、前記ハンドオーバー先のセルを管理する前記第２の基地局装置にハンドオーバーを要求することを特徴とする請求項１に記載の移動通信システム。
【請求項４】
前記第２の基地局装置は、前記第１の基地局装置が要求したハンドオーバーが実行可能かを判断することを特徴とする請求項３に記載の移動通信システム。
【請求項５】
前記第１の基地局装置は、前記第２の基地局装置からハンドオーバー要求許可メッセージを受信した場合、ハンドオーバー指示メッセージを移動局装置へ送信することを特徴とする請求項３または請求項４に記載の移動通信システム。
【請求項６】
移動局装置と通信する基地局装置であって、
前記移動局装置の在圏セルを管理し、
前記移動局装置が送信した測定報告メッセージに含まれる前記移動局装置のハンドオーバー先のセルを管理する基地局装置の同期チャネルの無線信号の組み合わせを示す第１のセル識別情報から前記移動局装置のハンドオーバー先のセルを適切に選択できない場合に、前記移動局装置が報告したセルをハンドオーバー先のセルとして選択するために用いる第２のセル識別情報の受信を開始させるために、前記移動局装置のハンドオーバー先のセルの前記第１のセル識別情報を前記移動局装置に通知することを特徴とする基地局装置。
【請求項７】
移動局装置であって、
前記移動局装置の在圏セルを管理する第１の基地局装置および前記移動局装置のハンドオーバー先のセルを管理する第２の基地局装置と通信し、
前記移動局装置が送信した測定報告メッセージに含まれる前記第２の基地局装置の同期チャネルの無線信号の組み合わせを示す第１のセル識別情報から前記移動局装置のハンドオーバー先のセルを適切に選択できない場合に、前記移動局装置が報告したセルをハンドオーバー先のセルとして選択するために用いる第２のセル識別情報の受信を開始するために、前記第１の基地局装置から前記第２の基地局装置の前記第１のセル識別情報が通知され、
前記通知された第１のセル識別情報で示される前記第２の基地局装置から前記第２のセル識別情報を受信し、前記第２のセル識別情報を測定報告メッセージに含めて前記第１の基地局装置に送信することを特徴とする移動局装置。
【請求項８】
移動局装置と、前記移動局装置の在圏セルを管理する第１の基地局装置と、前記移動局装置のハンドオーバー先のセルを管理する第２の基地局装置とを用いた移動通信方法であって、
前記第１の基地局装置は、前記移動局装置が送信した測定報告メッセージに含まれる前記第２の基地局装置の同期チャネルの無線信号の組み合わせを示す第１のセル識別情報から前記移動局装置のハンドオーバー先のセルを適切に選択できない場合に、前記移動局装置が報告したセルをハンドオーバー先のセルとして選択するために用いる第２のセル識別情報の受信を開始させるために、前記第２の基地局装置の前記第１のセル識別情報を前記移動局装置に通知するステップを有し、
前記移動局装置は、前記通知された第１のセル識別情報で示される前記第２の基地局装置から前記第２のセル識別情報を受信し、前記第２のセル識別情報を測定報告メッセージに含めて前記第１の基地局装置に送信するステップを有することを特徴とする移動通信方法。
【国際調査報告】
2009098960.tif 000024
2009098960.tif 000025
2009098960.tif 000026
2009098960.tif 000027